(57)【要約】【課題】ユーザが間接照明用の光源の位置を容易に認識することができる照明器具を提供する。【解決手段】設置面に取付けられる器具本体２０と、器具本体２０に設けられ、設置面と反対の方向に光を発する直接光発光部４０と、器具本体２０に設けられ、設置面に沿った第１方向に光を発する間接光発光部３０ａおよび３０ｂと、直接光発光部４０を覆うグローブ６５とを備え、設置面に垂直な方向から見た場合に、グローブ６５の外形は、長軸と、短軸とを有する形状である。【選択図】図１
2015041616.tif 000002
【特許請求の範囲】
【請求項１】
設置面に取付けられる器具本体と、
前記器具本体に設けられ、前記設置面と反対の方向に光を発する直接光発光部と、
前記器具本体に設けられ、前記設置面に沿った第１方向に光を発する間接光発光部と、
前記直接光発光部を覆うグローブとを備え、
前記設置面に垂直な方向から見た場合に、前記グローブの外形は、長軸と、短軸とを有する形状である
照明器具。
【請求項２】
前記間接光発光部は、前記器具本体のうち、前記長軸に対応する位置に設けられ、
前記第１方向は、前記長軸に沿う方向である
請求項１に記載の照明器具。
【請求項３】
前記間接光発光部には、前記第１方向に光を発する第１の間接光発光部と、前記第１方向と反対の方向である第２方向に光を発する第２の間接光発光部とが含まれる
請求項１または２に記載の照明器具。
【請求項４】
前記器具本体は、上面側が前記設置面に対向した状態で前記設置面に取付けられ、
前記間接光発光部は、前記器具本体の前記上面側に設けられ、
前記直接光発光部は、前記器具本体の下面側に設けられ、
前記グローブは、前記器具本体の下面側を覆うことによって前記直接光発光部を覆う
請求項１〜３のいずれか１項に記載の照明器具。
【請求項５】
前記設置面に垂直な方向から見た場合に、前記グローブは、
前記グローブの周縁部分であって、前記グローブの外形を規定する周縁部と、
前記グローブの前記周縁部よりも内側の部分であって、前記器具本体とともに前記直接光発光部を収納する筐体を構成する中心部とを備える
請求項１〜４のいずれか１項に記載の照明器具。
【請求項６】
前記周縁部は、前記中心部よりも高い反射特性を有する
請求項５に記載の照明器具。
【請求項７】
前記周縁部は、前記グローブのうち、主に前記間接光発光部が発する光を拡散する部分であり、
前記中心部は、前記グローブのうち、主に前記直接光発光部が発する光を透過する部分である
請求項５または６に記載の照明器具。
【請求項８】
前記グローブは、前記周縁部を構成する第１部材と、前記中心部を構成する第２部材とからなる
請求項５〜７のいずれか１項に記載の照明器具。
【請求項９】
前記長軸の方向における前記設置面に対する前記周縁部の傾斜は、前記短軸の方向における前記設置面に対する前記周縁部の傾斜よりも緩い
請求項５〜８のいずれか１項に記載の照明器具。
【請求項１０】
前記設置面に垂直な方向から見た場合に、前記中心部は、円形または正方形である
請求項５〜９のいずれか１項に記載の照明器具。
【請求項１１】
前記設置面に垂直な方向から見た場合に、前記グローブの外形は、楕円形または長方形である
請求項１〜１０のいずれか１項に記載の照明器具。
【請求項１２】
前記照明器具は、寝室の天井面に取り付けられる
請求項１〜１１のいずれか１項に記載の照明器具。
【請求項１３】
前記間接光発光部が発する光の色温度は、前記直接光発光部が発する光の色温度よりも低い
請求項１〜１２のいずれか１項に記載の照明器具。
【請求項１４】
設置面に取付けられ、前記設置面と反対の方向に光を発する直接光発光部と、前記設置面に沿う方向に光を発する間接光発光部とを備える照明器具の、前記直接光発光部を覆うグローブに取付けられるグローブ枠であって、
前記グローブに取付けられた状態で前記設置面に垂直な方向から見た場合に、前記グローブ枠の外形は、長軸と、短軸とを有する形状である
グローブ枠。
【発明の詳細な説明】
【技術分野】
【０００１】
本発明は、照明器具に関し、特に、間接照明用の光源を有する照明器具等に関するものである。
【背景技術】
【０００２】
従来、天井面等に取り付けられて主に下方を照明する主光源と、主に天井面等を照明する間接照明用の光源とを有する照明器具が知られている（例えば、特許文献１参照）。
【先行技術文献】
【特許文献】
【０００３】
【特許文献１】特開２０１３−１４５６８５号公報
【発明の概要】
【発明が解決しようとする課題】
【０００４】
上記のような間接照明用の光源を備える照明器具について、間接照明用の光源が発する光が特定の方向に照射されるように照明器具を取り付けたい場合がある。しかしながら、照明器具内における間接照明用の光源の位置がユーザによって視認できない場合には、ユーザが間接照明用の光源の位置を考慮して照明器具を取付けることは難しい。
【０００５】
そこで、本発明は、ユーザが間接照明用の光源の位置を容易に認識することができる照明器具等を提供する。
【課題を解決するための手段】
【０００６】
本発明の一態様に係る照明器具は、設置面に取付けられる器具本体と、前記器具本体に設けられ、前記設置面と反対の方向に光を発する直接光発光部と、前記器具本体に設けられ、前記設置面に沿った第１方向に光を発する間接光発光部と、前記直接光発光部を覆うグローブとを備え、前記設置面に垂直な方向から見た場合に、前記グローブの外形は、長軸と、短軸とを有する形状である。
【０００７】
また、例えば、前記間接光発光部は、前記器具本体のうち、前記長軸に対応する位置に設けられ、前記第１方向は、前記長軸に沿う方向であってもよい。
【０００８】
また、例えば、前記間接光発光部には、前記第１方向に光を発する第１の間接光発光部と、前記第１方向と反対の方向である第２方向に光を発する第２の間接光発光部とが含まれてもよい。
【０００９】
また、例えば、前記器具本体は、上面側が前記設置面に対向した状態で前記設置面に取付けられ、前記間接光発光部は、前記器具本体の前記上面側に設けられ、前記直接光発光部は、前記器具本体の下面側に設けられ、前記グローブは、前記器具本体の下面側を覆うことによって前記直接光発光部を覆ってもよい。
【００１０】
また、例えば、前記設置面に垂直な方向から見た場合に、前記グローブは、前記グローブの周縁部分であって、前記グローブの外形を規定する周縁部と、前記グローブの前記周縁部よりも内側の部分であって、前記器具本体とともに前記直接光発光部を収納する筐体を構成する中心部とを備えてもよい。
【００１１】
また、例えば、前記周縁部は、前記中心部よりも高い反射特性を有してもよい。
【００１２】
また、例えば、前記周縁部は、前記グローブのうち、主に前記間接光発光部が発する光を拡散する部分であり、前記中心部は、前記グローブのうち、主に前記直接光発光部が発する光を透過する部分であってもよい。
【００１３】
また、例えば、前記グローブは、前記周縁部を構成する第１部材と、前記中心部を構成する第２部材とからなってもよい。
【００１４】
また、例えば、前記長軸の方向における前記設置面に対する前記周縁部の傾斜は、前記短軸の方向における前記設置面に対する前記周縁部の傾斜よりも緩くてもよい。
【００１５】
また、例えば、前記設置面に垂直な方向から見た場合に、前記中心部は、円形または正方形であってもよい。
【００１６】
また、例えば、前記設置面に垂直な方向から見た場合に、前記グローブの外形は、楕円形または長方形であってもよい。
【００１７】
また、例えば、前記照明器具は、寝室の天井面に取り付けられてもよい。
【００１８】
また、例えば、前記間接光発光部が発する光の色温度は、前記直接光発光部が発する光の色温度よりも低くてもよい。
【００１９】
本発明の一態様に係るグローブ枠は、設置面に取付けられ、前記設置面と反対の方向に光を発する直接光発光部と、前記設置面に沿う方向に光を発する間接光発光部とを備える照明器具の、前記直接光発光部を覆うグローブに取付けられるグローブ枠であって、前記グローブに取付けられた状態で前記設置面に垂直な方向から見た場合に、前記グローブ枠の外形は、長軸と、短軸とを有する形状である。
【発明の効果】
【００２０】
本発明によれば、ユーザは、間接照明用の光源の位置を容易に認識することができる。
【図面の簡単な説明】
【００２１】
【図１】図１は、実施の形態に係る照明器具の分解斜視図である。
【図２】図２は、グローブの形状を説明するための図である。
【図３】図３は、間接光発光部の構成を示す図である。
【図４】図４は、間接光発光部の配置を示す図である。
【図５】図５は、実施の形態に係る照明器具の取り付け位置を説明するための図である。
【図６】図６は、周縁部による照明効果を説明するための模式図である。
【図７】図７は、実施の形態に係る照明器具の間接照明の模式図である。
【図８】図８は、周縁部の傾斜を説明するための図である。
【図９】図９は、グローブと、これに取付けられるグローブ枠とを示す図である。
【図１０】図１０は、外形が長方形であるグローブの形状を説明するための図である。
【発明を実施するための形態】
【００２２】
以下、本発明の実施の形態について、図面を参照しながら具体的に説明する。なお、各図は、模式図であり、必ずしも厳密に図示したものではない。
【００２３】
なお、以下で説明する実施の形態は、いずれも包括的または具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００２４】
（実施の形態）
まず、実施の形態に係る照明器具の構成について詳細に説明する。図１は、本実施の形態に係る照明器具の分解斜視図である。
【００２５】
図１に示されるように、照明器具１０は、カバー３１と、フレーム３２と、器具本体２０と、間接光発光部３０ａおよび３０ｂと、直接光発光部４０と、制御部５０と、レンズ６０と、グローブ６５とを備える。また、図１には、照明器具１０の点灯または消灯を制御するためのリモートコントローラ７０も図示されている。なお、図１では、間接光発光部３０ｂの図示は省略されている。
【００２６】
照明器具１０は、天井面（設置面）に取り付けられて主に下方（天井面の反対側）を照らす照明器具である。
【００２７】
器具本体２０は、上面（取り付け面）が天井面に対向した状態で天井面に取り付けられる円板状の部材であり、例えば、厚みの薄いダイカスト部材等である。器具本体２０には、間接光発光部３０ａ（３０ｂ）と、直接光発光部４０と、制御部５０とが設けられる。具体的には、直接光発光部４０および制御部５０は、器具本体の下面側に設けられ、間接光発光部３０ａおよび３０ｂは、器具本体の上面側に設けられる。また、器具本体２０の上面側の中央部分には、取付金具（図示せず）が設けられ、取付金具は、天井面に設けられた引掛シーリングに接続される。
【００２８】
器具本体２０の上面側には、カバー３１およびフレーム３２が設けられ、器具本体２０は、カバー３１、フレーム３２、およびグローブ６５とともに照明器具１０の外郭筐体を構成する。なお、カバー３１およびフレーム３２は、器具本体２０と一体形成されてもよい。すなわち、カバー３１およびフレーム３２は、器具本体２０に含まれてもよく、必須の構成要素ではない。
【００２９】
直接光発光部４０は、基板４１上に複数のＬＥＤ４２が設けられた発光モジュール（光源）である。直接光発光部４０は、部屋全体を明るくする、室内照明用途の光源である。照明器具１０では、器具本体２０の下面（上面の反対側の面）に４つの直接光発光部４０が設けられる。本実施の形態では、直接光発光部４０が発する光はＪＩＳ  Ｚ  ９１１２で定められる昼白色であり、直接光発光部４０が発する光の色温度は、５０００Ｋ程度であるが、直接光発光部４０が発する光は、昼光色〜電球色（色温度７１００Ｋ〜２６００Ｋ）であればよい。
【００３０】
基板４１は、ＬＥＤ４２を配置するための部分円弧状の基板であり、樹脂をベースとする樹脂基板、セラミックからなるセラミック基板、金属をベースとするメタルベース基板等が用いられる。
【００３１】
ＬＥＤ４２は、所定の直流電力により発光する半導体発光素子であって、所定の白色で発光するＬＥＤモジュールである。なお、ＬＥＤ４２の代わりに、有機ＥＬ素子（ＯＬＥＤ）または無機ＥＬ素子等のＬＥＤ以外の固体発光素子を用いて構成されたモジュールが用いられてもよい。なお、基板４１上に設けられる複数のＬＥＤ４２には、色温度が異なる複数のＬＥＤが含まれてもよい。これにより、照明器具１０は、直接光発光部４０が発する光の調色を行うことができる。
【００３２】
レンズ６０は、直接光発光部４０が発する光の配光角を拡大する円環状の光学部材である。レンズ６０は、直接光発光部４０に重なるように設けられ、例えば透光性の樹脂によって形成される。
【００３３】
制御部５０は、器具本体２０の下面の中央部分に設けられ、リモートコントローラ７０から受信した無線信号に基づいて間接光発光部３０ａおよび３０ｂ、並びに直接光発光部４０の点灯または消灯を行う。また、制御部５０は、例えば、ＰＷＭ（Ｐｕｌｓｅ  Ｗｉｄｔｈ  Ｍｏｄｕｌａｔｉｏｎ）制御や、アナログ調光制御により間接光発光部３０ａおよび３０ｂ、並びに直接光発光部４０の調光（調光比の制御）を行う。制御部５０は、具体的には、マイクロコンピュータなどによって実現される。
【００３４】
次に、照明器具１０の特徴構成であるグローブ６５について説明する。
【００３５】
グローブ６５は、グローブ６５の全体から光を均一に外部に取り出すために、材料の一部または全部に光拡散粒子が分散された中空の光学部材である。グローブ６５は、器具本体２０の下面を覆う。すなわち、グローブ６５は、直接光発光部４０を覆い、直接光発光部が発する光は、グローブ６５を透過する。
【００３６】
グローブ６５は、グローブ６５の周縁部分であって、グローブ６５の外形を規定する周縁部６５ａと、周縁部６５ａよりも内側の部分である中心部６５ｂとを備える。
【００３７】
中心部６５ｂは、器具本体２０とともに直接光発光部４０を収納する筐体を構成する、半球状の部分である。中心部６５ｂは、主に直接光発光部４０が発する光が透過する部分である。中心部６５ｂは、例えば、透光性を有する乳白色のアクリル樹脂によって形成される。
【００３８】
周縁部６５ａは、中心部６５ｂの周縁部分から延出した傘状（庇状）の部分であり、グローブ６５のうち主に間接光発光部３０ａおよび３０ｂが発する光を拡散する部分である。したがって、周縁部６５ａは、中心部６５ｂよりも高い反射特性を有する。周縁部６５ａは、例えば、透明のアクリル樹脂によって形成される。なお、本実施の形態では、意匠性の観点から周縁部６５ａにはシルク印刷が施されている。
【００３９】
なお、グローブ６５は、照明器具１０が天井面に取り付けられた状態において、設置面に垂直な方向から見た場合に、外形が楕円形であることが特徴である。
【００４０】
図２は、グローブ６５の形状を説明するための図である。図２の（ａ）は、グローブ６５を下面（照射面）側から見た図であり、図２の（ｂ）は、グローブ６５を短軸方向における側面から見た図である。図２の（ｃ）は、グローブ６５を長軸方向における側面から見た図である。なお、以下の実施の形態においては、グローブ６５の長軸方向をＸ方向、グローブ６５の短軸方向をＹ方向、上記Ｘ方向およびＹ方向で定められる平面に垂直な方向をＺ方向と規定する。
【００４１】
図２の（ａ）に示されるように、グローブ６５の外形は、楕円形である。具体的には、グローブ６５の外形の長軸の長さをｘ１、短軸の長さをｙ１とした場合、ｘ１：ｙ１＝１０：９程度である。また、図２の（ａ）に示されるように、中心部６５ｂは、円形であり、ｘ２：ｙ２＝１：１である。
【００４２】
また、図２の（ｂ）および（ｃ）に示されるように、グローブ６５は、球面状であり、Ｚ方向の−側から＋側に向かうにつれて縮径している。なお、図２の（ａ）、（ｂ）、および（ｃ）に示されるように、周縁部６５ａと中心部６５ｂとの境界には、溝が設けられている。
【００４３】
次に、間接光発光部３０ａおよび間接光発光部３０ｂについて説明する。
【００４４】
間接光発光部３０ａ（第１の間接光発光部）および間接光発光部３０ｂ（第２の間接光発光部）は、器具本体２０の上面（上面側）に設けられた光源であって、天井面および壁面を照らす光源である。間接光発光部３０ａおよび３０ｂが発する光は、直接光発光部４０が発する光よりも色温度が低い。本実施の形態では、間接光発光部３０ａおよび３０ｂが発する光は、電球色よりも色温度が低い。
【００４５】
以下、間接光発光部３０ａおよび３０ｂの構成および配置について説明する。まず、間接光発光部３０ａおよび３０ｂの構成について説明する。図３は、間接光発光部３０ａの構成を示す図である。なお、間接光発光部３０ｂの構成については間接光発光部３０ａと同様であるため説明が省略される。
【００４６】
図３に示されるように、間接光発光部３０ａは、基板３４上に複数のＬＥＤ３３が設けられた発光モジュールと、取り付け具３５と、レンズ３６とを備える。
【００４７】
基板３４は、ＬＥＤを配置するための長方形の板状の基板であり、具体的には、樹脂基板、セラミック基板、メタルベース基板等である。
【００４８】
ＬＥＤ３３は、所定の直流電力により発光するＬＥＤモジュール（半導体発光素子）である。なお、ＬＥＤ３３の代わりに、有機ＥＬ素子（ＯＬＥＤ）または無機ＥＬ素子等のＬＥＤ以外の固体発光素子を用いて構成されたモジュールが用いられてもよい。
【００４９】
取り付け具３５は、間接光発光部３０ａを器具本体２０に取り付けるためのＬ字状の部材である。取り付け具３５は、基板３４の第１の主面（ＬＥＤ３３が実装された主面）が器具本体２０の上面に対してほぼ垂直となり、かつ、当該第１の主面が照明器具１０の外側を向くように間接光発光部３０ａを器具本体２０に固定する。これにより、ＬＥＤ３３が発する光は、照明器具１０の外側へ向けて出射される。
【００５０】
レンズ３６は、ＬＥＤ３３が発する光の配光角を拡大する光学部材である。レンズ３６は、例えば透光性の樹脂によって形成される。
【００５１】
次に、間接光発光部３０ａおよび３０ｂの配置について説明する。図４は、間接光発光部３０ａおよび３０ｂの配置を示す図である。なお、図４は、照明器具１０を上面（取り付け時に天井面と対向する面）側から見た図である。
【００５２】
図４に示されるように、器具本体２０の上面には、間接光発光部３０ａと、間接光発光部３０ｂとが図４中のＸ方向に並んで設けられている。すなわち、間接光発光部３０ａおよび３０ｂは、器具本体２０のうち、グローブ６５の長軸に対応する位置に設けられる。言い換えれば、Ｚ方向から見た場合に、間接光発光部３０ａおよび３０ｂは、器具本体のうちグローブ６５の長軸と重なる軸上に設けられる。
【００５３】
間接光発光部３０ａは、図４中の＋Ｘ方向（第１方向）に光を発し、間接光発光部３０ｂは、図４中の−Ｘ方向（第２方向）に光を発する。第１方向および第２方向は、いずれもグローブ６５の長軸に沿う方向である。
【００５４】
なお、図４に示される間接光発光部３０ａおよび３０ｂの配置は一例であり、図４に示されるような配置に限定されるものではない。例えば、間接光発光部３０ａおよび３０ｂは、器具本体２０のうち、グローブ６５の短軸に対応する位置に設けられ、間接光発光部３０ａおよび３０ｂは、短軸に沿う方向に光を発してもよい。
【００５５】
以上のように構成される照明器具１０は、以下のような特徴がある。
【００５６】
照明器具１０は、間接光発光部３０ａおよび３０ｂが発する光のユーザに与える影響がより良好なものとなるように取り付けられることが望ましい。図５は、照明器具１０の取り付け位置を説明するための図である。
【００５７】
図５に示されるように、照明器具１０は、間接光発光部３０ａがユーザの頭部方向に位置し、間接光発光部３０ｂがユーザの足下方向に位置するように寝室１３の天井面１１に取り付けられることを意図した仕様となっている。
【００５８】
このように仕様通りに取り付けられることにより、間接光発光部３０ａは、ユーザの頭部側の壁１４に向けて光を発する。間接光発光部３０ａが発した光は、壁１４において反射し、ユーザの枕元の空間１３ａに広がる。これにより、ユーザ２００の枕元の空間１３ａは、色温度の低い光に包まれる。
【００５９】
一方、上記仕様通りに取り付けられることにより、間接光発光部３０ｂは、ユーザ２００の足下側の空間１３ｂに向けて光を発する。これにより、間接光発光部３０ｂが発した光は、横たわったユーザ２００の視線の先を照らし、寝室１３内の奥行感および広がり感を演出することができる。
【００６０】
ここで、照明器具１０を取り付ける際には、ユーザは、通常、グローブ６５側（Ｚ方向の−側）を視認しながら照明器具１０の取り付けを行う。このとき、図４および図５に示されるように、間接光発光部３０ａおよび３０ｂは、天井面１１と器具本体２０との間に位置し、グローブ６５側からは間接光発光部３０ａおよび３０ｂがどの位置に取り付けられているのかをユーザは視認することができない。
【００６１】
仮に、グローブ６５の外形が円形（正円）であるとした場合、グローブ６５側からは間接光発光部３０ａおよび３０ｂがどの位置に取り付けられているのかの目印がない。したがって、ユーザは、照明器具１０を仕様通りに取り付けるためには、照明器具１０を反転させて器具本体２０側を視認し、間接光発光部３０ａおよび３０ｂの配置を確認しながら照明器具１０の取り付けを行わなくてはならない。また、一端、照明器具１０を取り付けた後に、間接光発光部３０ａおよび３０ｂを発光させて間接光発光部３０ａおよび３０ｂの配置を確認し、再度取り付け位置を調整するなどの煩雑な作業も生じうる。
【００６２】
ここで、円形のグローブ６５に目印を付けることも考えられるが、目印の付与は、美的観点から必ずしも好ましくない。
【００６３】
そこで、照明器具１０では、グローブ６５の外形は、長軸と短軸とを有する楕円形である。これによって、照明器具１０の美的外観を確保できるとともに、ユーザは、グローブの外形を視認することによって、グローブ６５側から間接光発光部３０ａおよび３０ｂの配置を認識できる。
【００６４】
また、本実施の形態の照明器具１０では、特に、器具本体２０側（Ｚ方向の＋側）から見た場合に、グローブ６５の周縁部６５ａは、器具本体２０よりも外側に位置している（図４の斜線部）。これにより、間接光発光部３０ａおよび３０ｂ発する光が周縁部６５ａによって拡散（反射）するため、よりやわらかな照明空間を演出することができる。
【００６５】
図６は、周縁部６５ａによる照明効果を説明するための模式図である。図６の（ａ）は、図２の（ｂ）に示されるグローブ６５の領域７５ａに相当する図であり、図６の（ｂ）は、図２の（ｃ）に示されるグローブ６５の領域７５ｂに相当する図である。なお、図６では、天井面１１に取り付けられた状態の照明器具１０が図示されている。間接光発光部３０ｂについての説明は、間接光発光部３０ａと同様であるため省略される。
【００６６】
図６の（ａ）に示されるように、間接光発光部３０ａが天井面１１に沿う方向に発する光の一部は、光Ｌ１のように天井面１１を照らし、間接光発光部３０ａが発する光の一部は、光Ｌ２のように周縁部６５ａに向かう。
【００６７】
さらに、光Ｌ２のうちの一部である光Ｌ３は、反射して天井面１１を照らす。このとき、周縁部６５ａにおける反射を利用して天井面１１のうち間接光発光部３０ａから遠い領域を照らすことができるため、間接光発光部３０ａが発する光に広がりを持たせることができる。
【００６８】
また、光Ｌ２のうちの一部である光Ｌ４は、周縁部６５ａを透過する。周縁部６５ａを通過した光はある程度弱められるため、ユーザにとってはやわらかな（刺激の弱い）光となる。
【００６９】
以上のように、周縁部６５ａが設けられることにより、図７に示されるようなやわらかな広がりを持った間接照明が実現される。なお、上述のような天井面１１に対する照明効果を高めるためには、周縁部６５ａは、中心部６５ｂよりも高い反射特性を有することが望ましい。周縁部６５ａの反射特性は、周縁部６５ａを構成する樹脂中の光拡散粒子の含有量等により調整可能である。
【００７０】
なお、図６の（ｂ）に示されるように、間接光発光部３０ａが、器具本体２０のうちグローブ６５の短軸に対応する位置に設けられる場合も、周縁部６５ａによって同様の照明効果が得られる。
【００７１】
図６の（ｂ）に示されるように、間接光発光部３０ａが天井面１１に沿う方向に発する光の一部は、光Ｌ５のように天井面１１を照らし、間接光発光部３０ａが発する光の一部は、光Ｌ６のように周縁部６５ａに向かう。さらに、光Ｌ６のうちの一部である光Ｌ７は、反射して天井面１１を照らす。また、光Ｌ６のうちの一部である光Ｌ８は、周縁部６５ａを透過する。
【００７２】
ここで、長軸の方向における天井面１１に対する周縁部６５ａの傾斜と、短軸の方向における天井面１１に対する周縁部６５ａの傾斜とは異なる。したがって、天井面１１のうち間接光発光部３０ａによって照らされる領域（面積）は異なる。
【００７３】
図８は、周縁部６５ａの傾斜を説明するための図である。図８の（ａ）は、照明器具１０の、図２の（ｂ）に示されるグローブ６５の領域７５ａに相当する図であり、図８の（ｂ）は、図２の（ｃ）に示されるグローブ６５の領域７５ｂに相当する図である。
【００７４】
図８の（ａ）に示されるように、長軸の方向における天井面に対する周縁部６５ａの傾斜角をαとし、図８の（ｂ）に示されるように、短軸の方向における天井面に対する周縁部６５ａの傾斜角をβとした場合、傾斜角αは、傾斜角βよりも小さい（α＜β）。すなわち、長軸の方向における天井面１１に対する周縁部６５ａの傾斜は、短軸の方向における天井面１１に対する周縁部６５ａの傾斜よりも緩い。
【００７５】
したがって、照明器具１０では、間接光発光部３０ａによって照らされる天井面１１の領域を広げたい場合には、間接光発光部３０ａは、器具本体２０のうちグローブ６５の長軸に対応する位置に設けられるとよい。一方、照明器具１０では、間接光発光部３０ａによって照らされる天井面１１の領域を狭めたい場合には、間接光発光部３０ａは、器具本体２０のうちグローブ６５の短軸に対応する位置に設けられるとよい。
【００７６】
このように、周縁部６５ａの天井面１１に対する傾斜を変更することで、天井面１１のうち間接光発光部３０ａによって照らされる領域を変更することができる。
【００７７】
以上、本実施の形態に係る照明器具１０について説明した。照明器具１０によれば、ユーザは、グローブの外形を視認することによって、グローブ６５側から間接光発光部３０ａおよび３０ｂの配置を認識できる。すなわち、ユーザは、間接照明用の光源の位置を容易に認識することができる。
【００７８】
（その他の実施の形態）
本発明は上記の実施の形態に限定されるものではない。
【００７９】
上記実施の形態では、グローブ６５は、中心部６５ｂと周縁部６５ａとからなるが、グローブ６５は、必ずしも中心部６５ｂと周縁部６５ａとから構成される必要はない。本発明の照明器具は、外形が長軸と短軸とを有する形状であるグローブを備えればよい。
【００８０】
また、上記実施の形態において、グローブ６５のうち周縁部６５ａを別部材として構成してもよい。すなわち、グローブ６５は、周縁部６５ａに相当する部材であるグローブ枠（第１部材）と、中心部６５ｂに相当する部材であるグローブ本体（第２部材）とから構成されてもよい。図９は、グローブ本体と、これに取付けられるグローブ枠とからなるグローブを示す図である。
【００８１】
グローブ枠１６５ａは、グローブ本体１６５ｂがはめ込まれる開口９０を備え、開口９０の形状はグローブ本体１６５ｂの外形に対応した形状である。図９では、グローブ本体１６５ｂの外形は、円形であるため、開口９０は円形である。
【００８２】
一方、グローブ枠１６５ａの外形は、楕円形である。なお、ここでの外形とは、グローブ枠１６５ａを平面視した場合の外側の輪郭を意味する。したがって、グローブ本体１６５ｂにグローブ枠１６５ａを装着すれば、上記実施の形態１で説明したグローブ６５同様に、ユーザは、間接照明用の光源の位置を容易に認識することができる。
【００８３】
また、本発明は、このような、グローブ（グローブ本体）に取付けられるグローブ枠として実現されてもよい。この場合、グローブ枠は必ずしも単一の部材で形成される必要はなく、複数の部材から１つのグローブ枠が構成されてもよい。
【００８４】
また、上記実施の形態では、グローブ６５の外形は楕円形であるが、グローブ６５の外形はこのような形状に限定されるものではない。グローブの外形は、ユーザがグローブ側から間接光発光部３０ａおよび３０ｂの配置を認識できるように、長軸と、短軸とを有する形状であればよい。言い換えれば、グローブの外形は、長手方向と、短手方向を有する形状であればよい。例えば、グローブの外形は、その他の閉曲線や、長方形、ひし形などであってもよい。また、グローブの外形は、いわゆるレーストラック形状であってもよい。
【００８５】
図１０は、外形が長方形であるグローブの形状を説明するための図である。図１０の（ａ）は、外形が長方形のグローブ８５を下面（照射面）側から見た図であり、図１０の（ｂ）は、グローブ８５を短軸方向（短辺方向）における側面から見た図である。図１０の（ｃ）は、グローブ８５を長軸方向（長辺方向）における側面から見た図である。
【００８６】
図１０の（ａ）に示されるように、グローブ８５の外形は、短辺の長さがｘ３、長辺の長さがｙ３長方形である。
【００８７】
また、グローブ８５は、グローブ６５と同様に、周縁部８５ａと、中心部８５ｂとからなる。中心部８５ｂは、正方形である（図１０でｘ４＝ｙ４）。
【００８８】
また、図１０の（ｂ）および（ｃ）に示されるように、グローブ８５は、四角錐台状であり、Ｚ方向の−側から＋側に向かうにつれて縮径している。
【００８９】
グローブ８５のように、グローブの外形が長方形である場合は、長辺に平行な線分であって当該長方形を２等分する線分が長軸であり、短辺に長辺に平行な線分であって当該長方形を２等分する線分が短軸である。
【００９０】
なお、他の形状においては、長軸と、短軸とは、以下のように規定される。グローブの外形が閉曲線である場合は、閉曲線上において最も離れた位置に位置する２つの点を結ぶ線分が長軸であり、これに直交する線分が短軸である。グローブの外形がひし形の場合は、長いほうの対角線が長軸であり、短いほうの対角線が短軸である。
【００９１】
なお、美的観点からは、グローブの外形は、長軸と、短軸とを有する形状であって、長軸または短軸に対して線対称な形状であることが望ましい。
【００９２】
また、グローブの外形と中心部の形状とは任意に組み合わされてよい。例えば、中心部が円形でグローブの外形が長方形であるグローブは、本発明に含まれる。
【００９３】
また、上記実施の形態では、照明器具１０は、間接光発光部を２つ備えるものとして説明されたが、照明器具１０は、少なくとも１つ間接光発光部を備えればよい。また、照明器具１０は、３つ以上の間接光発光部を備えてもよい。また、間接光発光部の配置についても上記実施の形態に限定されるものではない。
【００９４】
また、上記実施の形態では、照明器具の一例として、シーリングライトについて説明したが、これに限定されるものではなく、本発明の目的を損なわない範囲で他の照明器具（照明装置）にも同様に適用できる。
【００９５】
なお、上記実施の形態では、照明器具１０は、天井面に取り付けられたが、壁面などその他の構造物の面（設置面）に取り付けられてもよい。
【００９６】
以上、一つまたは複数の態様に係る照明器具について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９７】
１０  照明器具
１１  天井面
１３  寝室
１３ａ、１３ｂ  空間
１４  壁
２０  器具本体
３０ａ、３０ｂ  間接光発光部
３１  カバー
３２  フレーム
３３、４２  ＬＥＤ
３４、４１  基板
３５  取り付け具
３６、６０  レンズ
４０  直接光発光部
５０  制御部
６５、８５  グローブ
６５ａ、８５ａ  周縁部
６５ｂ、８５ｂ  中心部
７０  リモートコントローラ
７５ａ、７５ｂ  領域
９０  開口
１６５ａ  グローブ枠
１６５ｂ  グローブ本体
【図１】
2015041616.tif 000003
【図２】
2015041616.tif 000004
【図３】
2015041616.tif 000005
【図４】
2015041616.tif 000006
【図５】
2015041616.tif 000007
【図６】
2015041616.tif 000008
【図８】
2015041616.tif 000009
【図９】
2015041616.tif 000010
【図１０】
2015041616.tif 000011
【図７】
2015041616.tif 000012